【事件の表示】
　国際登録第８１８５５６号に係る国際商標登録出願の拒絶査定に対する審判事件について，次のとおり審決する。
【結論】
　原査定を取り消す。
　本願商標は，登録すべきものとする。
【理由】
１　本願商標
　本願商標は，「Ｔ−Ｇｒｏｕｐ」の欧文字を書してなり，第９類，第１６類，第３５類，第３６類，第３８類，第３９類及び第４２類に属する国際登録において指定された商品及び役務を指定商品及び指定役務として，２００３年（平成１５年）９月１１日を国際登録の日とするものである。その後，指定商品及び指定役務については，２００４年（平成１６年）９月２７日付けの手続補正書により，第９類「Ｅｌｅｃｔｒｉｃ　ｒｅｇｕｌａｔｉｎｇ　ａｐｐａｒａｔｕｓ；ｃｏｍｐｕｔｅｒｓ　ａｎｄ　ｃｏｍｐｕｔｅｒ　ｐｅｒｉｐｈｅｒａｌ　ｄｅｖｉｃｅｓ；ｏｐｔｉｃａｌ　ａｐｐａｒａｔｕｓ　ａｎｄ　ｉｎｓｔｒｕｍｅｎｔｓ；ｍｅａｓｕｒｉｎｇ　ａｐｐａｒａｔｕｓ；ｌｕｍｉｎｏｕｓ　ｏｒ　ｍｅｃｈａｎｉｃａｌ　ｓｉｇｎａｌｓ；ｅｌｅｃｔｒｉｃ　ｉｎｓｔａｌｌａｔｉｏｎｓ　ｆｏｒ　ｒｅｍｏｔｅ　ｃｏｎｔｒｏｌ　ｏｆ　ｉｎｄｕｓｔｒｉａｌ　ｏｐｅｒａｔｉｏｎｓ；ｔｅａｃｈｉｎｇ　ａｐｐａｒａｔｕｓ；ａｐｐａｒａｔｕｓ　ｆｏｒ　ｒｅｃｏｒｄｉｎｇ，ｔｒａｎｓｍｉｓｓｉｏｎ，ｐｒｏｃｅｓｓｉｎｇ　ａｎｄ　ｒｅｐｒｏｄｕｃｔｉｏｎ　ｏｆ　ｓｏｕｎｄ，ｉｍａｇｅｓ　ｏｒ　ｄａｔａ；ｍａｃｈｉｎｅ　ｒｕｎ　ｄａｔａ　ｃａｒｒｉｅｒｓ；ａｕｔｏｍａｔｉｃ　ｖｅｎｄｉｎｇ　ｍａｃｈｉｎｅｓ　ａｎｄ　ｍｅｃｈａｎｉｓｍｓ　ｆｏｒ　ｃｏｉｎ−ｏｐｅｒａｔｅｄ　ａｐｐａｒａｔｕｓ；ｄａｔａ　ｐｒｏｃｅｓｓｉｎｇ　ｅｑｕｉｐｍｅｎｔ　ａｎｄ　ｃｏｍｐｕｔｅｒｓ．」，第１６類「Ｐｒｉｎｔｅｄ　ｍａｔｔｅｒ，ｅｓｐｅｃｉａｌｌｙ　ｓｔａｍｐｅｄ　ａｎｄ／ｏｒ　ｐｒｉｎｔｅｄ　ｃａｒｄｓ　ｏｆ　ｃａｒｄｂｏａｒｄ　ｏｒ　ｐｌａｓｔｉｃ；ｉｎｓｔｒｕｃｔｉｏｎ　ａｎｄ　ｔｅａｃｈｉｎｇ　ｍａｔｅｒｉａｌ（ｅｘｃｅｐｔ　ａｐｐａｒａｔｕｓ）；ｏｆｆｉｃｅ　ｒｅｑｕｉｓｉｔｅｓ（ｅｘｃｅｐｔ　ｆｕｒｎｉｔｕｒｅ）．」，第３５類「Ａｄｖｅｒｔｉｓｉｎｇ　ａｎｄ　ｂｕｓｉｎｅｓｓ　ｍａｎａｇｅｍｅｎｔ；ｄａｔａ　ｂａｓｅ　ｓｅｒｖｉｃｅｓ，ｎａｍｅｌｙ　ｃｏｌｌｅｃｔｉｏｎ　ｏｆ　ｉｎｆｏｒｍａｔｉｏｎ　ｉｎｔｏ　ｃｏｍｐｕｔｅｒ　ｄａｔａｂａｓｅ，ｃｏｍｐｉｌａｔｉｏｎ　ａｎｄ　ｓｙｓｔｅｍｉｚａｔｉｏｎ　ｏｆ　ｉｎｆｏｒｍａｔｉｏｎ　ｉｎｔｏ　ｃｏｍｐｕｔｅｒ　ｄａｔａｂａｓｅｓ．」，第３６類「Ｆｉｎａｎｃｉａｌ　ｃｏｎｓｕｌｔａｎｃｙ；ｆｉｎａｎｃｉａｌ　ｅｖａｌｕａｔｉｏｎ［ｉｎｓｕｒａｎｃｅ，ｂａｎｋｉｎｇ，ｒｅａｌ　ｅｓｔａｔｅ］；ｆｉｎａｎｃｉａｌ　ｍａｎａｇｅｍｅｎｔ；ｒｅａｌ　ｅｓｔａｔｅ　ａｆｆａｉｒｓ．」，第３８類「Ｔｅｌｅｃｏｍｍｕｎｉｃａｔｉｏｎ；ｒｅｎｔａｌ　ｏｆ　ｅｑｕｉｐｍｅｎｔ　ｆｏｒ　ｔｅｌｅｃｏｍｍｕｎｉｃａｔｉｏｎ，ｅｓｐｅｃｉａｌｌｙ　ｆｏｒ　ｂｒｏａｄｃａｓｔｉｎｇ　ａｎｄ　ｔｅｌｅｖｉｓｉｏｎ；ｎｅｗｓ　ａｇｅｎｃｉｅｓ．」，第３９類「Ｔｒａｎｓｐｏｒｔａｔｉｏｎ　ａｎｄ　ｓｔｏｒａｇｅ　ｏｆ　ｇｏｏｄｓ．」，第４２類「Ｃｏｍｐｕｔｅｒ　ｐｒｏｇｒａｍｍｉｎｇ；ｄａｔａ　ｂａｓｅ　ｓｅｒｖｉｃｅｓ，ｎａｍｅｌｙ　ｒｅｎｔａｌ　ｏｆ　ａｃｃｅｓｓ　ｔｉｍｅ　ｔｏ　ａ　ｄａｔａ　ｂａｓｅ；ｒｅｎｔａｌ　ｓｅｒｖｉｃｅｓ　ｒｅｌａｔｉｎｇ　ｔｏ　ｄａｔａ　ｐｒｏｃｅｓｓｉｎｇ　ｅｑｕｉｐｍｅｎｔ　ａｎｄ　ｃｏｍｐｕｔｅｒｓ；ｐｒｏｊｅｃｔ　ｓｔｕｄｉｅｓ　ａｎｄ　ｐｌａｎｎｉｎｇ　ｓｅｒｖｉｃｅｓ　ｒｅｌａｔｉｎｇ　ｔｏ　ｅｑｕｉｐｍｅｎｔ　ｆｏｒ　ｔｅｌｅｃｏｍｍｕｎｉｃａｔｉｏｎ．」に補正されたものである。
２　引用商標
　原査定において，本願商標の拒絶の理由に引用した登録商標は以下のとおりである。
　（１）登録第１６２２７２３号商標は，別掲（１）に示すとおりの構成よりなり，昭和５５年４月２１日に登録出願，第２６類に属する商標登録原簿に記載の商品を指定商品として，同５８年１０月２７日に設定登録され，その後，２回にわたり，商標権存続期間の更新登録がされ，そして，平成１６年３月３日に指定商品を第６類，第９類，第１６類，第１９類及び第２０類に属する商標登録原簿に記載の商品にする書換登録がされたものである。
　（２）登録第１８１０８２８号商標は，別掲（２）に示すとおりの構成よりなり，昭和５８年４月５日に登録出願，第２６類に属する商標登録原簿に記載の商品を指定商品として，同６０年９月２７日に設定登録され，その後，２回にわたり，商標権存続期間の更新登録がされ，そして，平成１８年３月８日に指定商品を第６類，第９類，第１６類，第１９類及び第２０類に属する商標登録原簿に記載の商品にする書換登録がされたものである。
　（３）登録第３１３８４４３号商標は，別掲（３）に示すとおりの構成よりなり，平成４年９月３０日に登録出願，第４２類に属する商標登録原簿に記載の役務を指定役務として，同８年３月２９日に設定登録されたものである。
　（４）登録第３２８２２９４号商標は，別掲（４）に示すとおりの構成よりなり，平成４年７月１３日に登録出願，第４２類に属する商標登録原簿に記載の役務を指定役務として，同９年４月１８日に設定登録されたものである。
　（５）登録第３３６２６００号商標は，「グルーヴ」の片仮名文字と「ｇｒｏｏｖｅ」の欧文字を二段に書してなり，平成６年１１月１８日に登録出願，第１６類「雑誌」を指定商品として，同９年１１月２８日に設定登録されたものである。
　（６）登録第３３６４６６９号商標は，「ＧＲＯＯＶＥ」の欧文字と「グルーブ」の片仮名文字を二段に書してなり，平成７年５月２日に登録出願，第１５類に属する商標登録原簿に記載の商品を指定商品として，同９年１２月５日に設定登録されたものである。その後，指定商品については，同１４年５月１日及び同１４年５月１５日に，指定商品の一部について，商標登録原簿に記載のとおり，商標登録を無効とする旨の審決の確定登録がされたものである。
　（７）登録第４１２０４１８号商標は，別掲（５）に示すとおりの構成よりなり，平成７年１２月２６日に登録出願，第９類に属する商標登録原簿に記載の商品を指定商品として，同１０年３月６日に設定登録されたものである。
　（８）登録第４２０３８４６号商標は，「ＧＲＯＯＶＥ」の欧文字と「グルーヴ」の片仮名文字を二段に書してなり，平成８年７月５日に登録出願，第３８類に属する商標登録原簿に記載の役務を指定役務として，同１０年１０月２３日に設定登録されたものである。
　（９）登録第４２７５６７８号商標は，「ＧＲＯＯＶＥ」の欧文字と「グルーヴ」の片仮名文字を二段に書してなり，平成９年１２月２２日に登録出願，第３類，第１２類，第１４類，第２０類，第２１類，第２７類，第３０類及び第３４類に属する商標登録原簿に記載の商品を指定商品として，同１１年５月２１日に設定登録されたものである。
　（１０）登録第４３１０４６６号商標は，「ＧＲＯＯＶＥ」の欧文字と「グルーヴ」の片仮名文字を二段に書してなり，平成８年９月７日に登録出願，第３５類に属する商標登録原簿に記載の役務を指定役務として，同１１年８月２７日に設定登録されたものである。
　（１１）登録第４３１０４７３号商標は，「ＧＲＯＯＶＥ！」の欧文字と，その下に小さく「Ｈｙｐｅｒ　ｍｅｄｉａ　ｓｔｏｒｅ」の欧文字を書してなり，平成９年５月１７日に登録出願，第３類，第１４類，第１６類，第１８類，第２１類，第２５類，第３０類及び第３４類に属する商標登録原簿に記載の商品を指定商品として，同１１年８月２７日に設定登録されたものである。
　（１２）登録第４３２０８７７号商標は，「ＧＲＯＯＶＥ」の欧文字と「グルーヴ」の片仮名文字を二段に書してなり，平成９年４月１９日に登録出願，第３２類，第３６類，第３７類，第４０類及び第４２類に属する商標登録原簿に記載の商品及び役務を指定商品及び指定役務として，同１１年１０月１日に設定登録されたものである。その後，同１７年７月２５日に商標権の分割移転の登録がされた結果，登録第４３２０８７７号の１及び同第４３０２８７７号の２となり，指定商品及び指定役務はそれぞれの商標登録原簿に記載のとおりとなっているものである。
　（１３）登録第４３６０９９４号商標は，「ＧＲＯＯＶＥ」の欧文字と「グルーヴ」の片仮名文字を二段に書してなり，平成７年３月２８日に登録出願，第９類に属する商標登録原簿に記載の商品を指定商品として，同１２年２月１０日に設定登録されたものである。その後，同１７年７月２５日に商標権の分割移転の登録がされた結果，登録第４３６０９９４号の１及び同第４３６０９９４号の２となり，指定商品はそれぞれの商標登録原簿に記載のとおりとなっているものである。
　（１４）登録第４５５２７９４号商標は，「ＧＲＯＯＶＥ」の欧文字と「グルーヴ」の片仮名文字を二段に書してなり，平成１０年１１月１２日に登録出願，第１類，第２類，第４類，第５類，第６類，第７類，第８類，第１０類，第１１類，第１３類，第１９類，第２２類，第２４類，第２６類，第２９類，第３１類及び第３９類に属する商標登録原簿に記載の商品及び役務を指定商品及び指定役務として，同１４年３月１５日に設定登録されたものである。その後，同１７年７月２５日に商標権の分割移転の登録がされた結果，登録第４５５２７９４号の１及び同第４５５２７９４号の２となり，指定商品及び指定役務はそれぞれの商標登録原簿に記載のとおりとなっているものである。
　（１５）商願平１１−１０１５９８号は，「ＧＲＯＯＶＥ」の欧文字を標準文字で書してなり，平成１１年１１月４日に登録出願，第９類，第１６類，第３８類，第４１類及び第４２類に属する商標登録原簿に記載の商品及び役務を指定商品及び指定役務として，同１７年９月３０日に登録第４８９８６２１号商標として設定登録されたものである。
　以下，これらを総称するときは「引用各商標」という。
３　当審の判断
　本願商標は，前記のとおり，「Ｔ−Ｇｒｏｕｐ」の欧文字よりなるところ，ハイフンを含めても７文字という簡潔な構成よりなり，外観上，まとまりよく一連に表示されているものである。しかも，その称呼についても，その全体の構成文字より生ずる「ティーグループ」の称呼は，全体で４音という簡潔な音構成よりなるものであることから，淀みなく一連に称呼し得るものである。
　そうすると，本願商標に接する取引者，需要者は，たとえ，その構成中のハイフンで他の文字に連結された「Ｔ」の文字部分が，商品の型番，等級等を表示するための符号又は記号として類型的に使用される欧文字１文字であるとしても，その構成文字の全体をもって一体不可分のものと認識，把握し，一連の「ティーグループ」の称呼をもって取引に当たるとみるのが自然である。
　したがって，本願商標より「グループ」の称呼をも生ずるとし，そのうえで，本願商標と引用各商標が称呼上類似するものとして，本願商標を商標法第４条第１項第１１号に該当するとした原査定は，取消しを免れない。
　その他，政令で定める期間内に本願について拒絶の理由を発見しない。
　よって，結論のとおり審決する。